(57)【要約】【課題】  壁面等にアウトセットされたレールのおさまり調整が維持され損傷が発生することのないようにする。【解決手段】  壁面Ｗ等に固定された庇形の取付ブラケット１の下面にレール３の上部を当接させ、レール３，取付ブラケット１にネジ２を貫通させて取付ブラケット１の上面１２ａにネジ２に螺合したナット４を締付ける。レール３は、上部にネジが挿通される真円形のネジ挿通孔３１が穿孔されている。取付ブラケット１は、長軸がレールの幅方向に位置されてネジ２が挿通される長孔形のネジ挿通孔１２ｃが穿孔されるとともに、上面１２ａに係合することでナット４のレール３の幅方向の位置を選択することのできる係合部１２ｂが設けられている。【選択図】        図１
2009068208.tif 000002
【特許請求の範囲】
【請求項１】
壁面等に固定された庇形の取付ブラケットの下面にレールの上部を当接させ、レール，取付ブラケットにネジを貫通させて取付ブラケットの上面にネジに螺合したナットを締付けるレール取付構造において、レールは上面にネジが挿通される真円形のネジ挿通孔が穿孔され、取付ブラケットは長軸がレールの幅方向に位置されてネジが挿通される長孔形のネジ挿通孔が穿孔されるとともに上面に係合することでナットのレールの幅方向の位置を選択することのできる係合部が設けられていることを特徴とするレール取付構造。
【請求項２】
請求項１のレール取付構造において、ナットはレールの幅方向で相対して取付ブラケットの係合部に係合する１対の係合片が設けられ、取付ブラケットの係合部はレールの幅方向へ凹凸が等間隔で連続していることを特徴とするレール取付構造。
【請求項３】
請求項２のレール取付構造において、取付ブラケットの係合部は凹凸がレールの幅方向と直交する方向へ平行に延びていることを特徴とするレール取付構造。
【請求項４】
請求項１〜３のいずれかのレール取付構造において、少なくとも取付ブラケットの上面側を覆うカバーが設けられることを特徴とするレール取付構造。
【発明の詳細な説明】
【技術分野】
【０００１】
本発明は、戸の開閉を案内するレールを壁面等にアウトセットするレール取付構造に係る技術分野に属する。
【背景技術】
【０００２】
現在、内装の改築工事等で新たに戸を増築する際には、戸の開閉を案内するレールを壁面等に固定された庇形の取付ブラケットにネジ止めにより取付けることが行われている。このレールの取付けでは、戸の円滑な開閉を確保するために、取付ブラケット，レールの間のレールの幅方向のおさまりを調整する手段を備えることが必要になっている。
【０００３】
従来、取付ブラケット，レールの間のおさまりを調整する手段を備えたレール取付構造としては、例えば、以下に記載のものが知られている。
【０００４】
【特許文献１】特開２０００−１９９３７７号公報
【０００５】
特許文献１には、壁面等に固定された庇形の取付ブラケットの下面にレールの上部を当接させ、レール，取付ブラケットにネジを貫通させて取付ブラケットの上面にネジに螺合したナットを締付けるレール取付構造が記載されている。即ち、特許文献１の図１１に示されるように、レールには上部の幅方向Ｂに長軸が位置されてネジが挿通される長孔形のネジ挿通孔が穿孔され、取付ブラケットには上面にナットのレールの幅方向Ｂへの移動を阻止するストッパが設けられている。
【０００６】
特許文献１に係るレール取付構造は、ネジに対して移動可能なレールの長孔形のネジ挿通孔を利用することで、取付ブラケットに対するレールの幅方向のおさまりを調整することができる。
【発明の開示】
【発明が解決しようとする課題】
【０００７】
特許文献１に係るレール取付構造では、戸の開閉の振動やネジ，ナットの経年弛緩等でレールが幅方向に不測に移動するおそれがあるため、おさまり調整が維持が困難であるという問題点がある。また、レールの上部に長孔形のネジ挿通孔が穿孔されるため、真円形のネジ挿通孔が穿孔されている汎用のレールを使用することができないという問題点がある。
【０００８】
本発明は、このような問題点を考慮してなされたもので、真円形のネジ挿通孔が穿孔されている汎用のレールを使用することができて壁面等にアウトセットされたレールのおさまり調整が維持されレール取付構造を提供することを課題とする。
【課題を解決するための手段】
【０００９】
前述の課題を解決するため、本発明に係るレール取付構造は、特許請求の範囲の各請求項に記載の手段を採用する。
【００１０】
即ち、請求項１では、壁面等に固定された庇形の取付ブラケットの下面にレールの上部を当接させ、レール，取付ブラケットにネジを貫通させて取付ブラケットの上面にネジに螺合したナットを締付けるレール取付構造において、レールは上部にネジが挿通される真円形のネジ挿通孔が穿孔され、取付ブラケットは長軸がレールの幅方向に位置されてネジが挿通される長孔形のネジ挿通孔が穿孔されるとともに上面に係合することでナットのレールの幅方向の位置を選択することのできる係合部が設けられていることを特徴とする。
【００１１】
この手段では、レールに真円形のネジ挿通孔が設けられることで、レールから長孔形のネジ挿通孔が消失され、ナットと取付ブラケットの係合部との係合位置の選択でレールの幅方向のおさまりが調整されることで、レールの幅方向への不測の移動が防止される。
【００１２】
また、請求項２では、請求項１のレール取付構造において、ナットはレールの幅方向で相対して取付ブラケットの係合部に係合する１対の係合片が設けられ、取付ブラケットの係合部はレールの幅方向へ凹凸が等間隔で連続していることを特徴とする。
【００１３】
この手段では、レールの幅方向のおさまりの調整幅が取付ブラケットの係合部の凹凸の間隔で決定される。
【００１４】
即ち、請求項３では、請求項２のレール取付構造において、取付ブラケットの係合部は凹凸がレールの幅方向と直交する方向へ平行に延びていることを特徴とする。
【００１５】
この手段では、取付ブラケットの係合部の凹凸の延びる方向が壁面と平行になる。
【００１６】
また、請求項４では、請求項１〜３のいずれかのレール取付構造において、少なくとも取付ブラケットの上面側を覆うカバーが設けられることを特徴とする。
【００１７】
この手段では、取付ブラケットの係合部やナットがカバーで覆われる。
【発明の効果】
【００１８】
本発明に係るレール取付構造は、レールに真円形のネジ挿通孔が設けられることで、レールから長孔形のネジ挿通孔が消失されるため、真円形のネジ挿通孔が穿孔されている汎用のレールを使用することができる効果がある。また、ナットと取付ブラケットの係合部との係合位置の選択でレールの幅方向のおさまりが調整されることで、レールの幅方向への不測の移動が防止されるため、壁面等にアウトセットされたレールのおさまり調整が維持される効果がある。
【発明を実施するための最良の形態】
【００１９】
以下、本発明に係るレール取付構造を実施するための最良の形態を図面に基づいて説明する。
【００２０】
この形態は、特許文献１に係るレール取付構造と同様に、壁面Ｗに固定された庇形の取付ブラケット１にネジ２，ナット４でレール３を取付けるものである。
【００２１】
取付ブラケット１は、壁面Ｗに当接される基部１１の中央部から直交するように庇形の取付部１２が水平に突出するＴ字形に形成されている。基部１１は、上端部に後述のカバー５の側カバー５１を取付けるための係止部１１ａが取付部１２へ突出するように設けられている。取付部１２は、上面１２ａにレール３の幅方向に凹凸が等間隔で連続され凹凸がレール３の幅方向と直交する方向に平行に延びる係合部１２ｂが設けられ、長軸がレール３の幅方向に位置されてネジ２が挿通される長孔形のネジ挿通孔１２ｃが穿孔されている。係合部１２ｂは、凹凸を形成する凸条１２ｂａ，凹条１２ｂｂがナット４を確実に係合させることのできる高さ，深さ，幅を有し取付ブラケット１の長さ方向の全長に延びている。なお、係合部１２ｂの凸条１２ｂａの先端部は、ナット４の係合を円滑に案内する丸頭形の案内面１２ｂｃに形成されている。ネジ挿通孔１２ｃは、取付ブラケット１の長さ方向に適当な間隔を介して複数個設けられ、穿孔箇所では係合部１２ｂ（凸条１２ｂａ，案内面１２ｂｃ）を切除する格好となっている（図２参照）。基部１１，取付部１２の屈曲部には、後述のカバー５の端カバー５２を取付けるためのネジ孔１３が設けられている。取付部１２の先端部には、後述のカバー５の側カバー５１が当接される受片１４と、後述のカバー５の側カバー５１の上下位置を規制する位置決片１５と、取付ネジ６が螺合されるネジ受１６とが設けられている。
【００２２】
ネジ２は、レール３から取付ブラケット１の取付部１２の係合部１２ｂを貫通してナット４に螺合される軸長を有している。
【００２３】
レール３は、下部開放形の箱形に形成されたもので、上部にネジ２が挿通される真円形のネジ挿通孔３１が穿孔されている。このネジ挿通孔３１は、取付ブラケット１の取付部１２のネジ挿通孔１２ｃの間隔に対応して長さ方向に複数個設けられている。なお、このレール３は、下部面３２が戸に吊持ち等で連結されたランナの走行面となるものである。
【００２４】
ナット４は、レール３の幅方向で相対して取付ブラケット１の取付部１２の係合部１２ｂの凹条１２ｂｂに係合する１対の係合片４１が設けられて断面形状が下方向きでコ字形に形成され、係合片４１の間の中央片４２にネジ２が螺合するネジ孔４３が設けられ、中央片４２から突出する格好でネジ孔４３の周囲を補強する隆起筒部４４が設けられている。両係合片４１の間隔は、取付ブラケット１の取付部１２の係合部１２ｂの凹条１２ｂｂのいくつかを合わせた間隔と一致している。
【００２５】
この形態の取付工事としては、レール３の上部を壁面Ｗに固定された取付ブラケット１の取付部１２の下面に当接させ、レール３のネジ挿通孔３１に挿通したネジ２を取付ブラケット１の取付部１２のネジ挿通孔１２ｃを貫通させてナット４のネジ孔４３に螺合させることになる。
【００２６】
この取付工事では、ナット４の係合片４１の取付ブラケット１の取付部１２の係合部１２ｂの凹条１２ｂｂへの係合位置を選択することで、レール３の幅方向へのおさまりが調整される。このとき、取付ブラケット１の取付部１２の係合部１２ｂの案内面１２ｂｃがナット４の係合片４１の下端面，側面を滑らせるように案内するため、ナット４の係合片４１の取付ブラケット１の取付部１２の係合部１２ｂの凹条１２ｂｂへの係合が円滑になされる。また、
【００２７】
なお、この取付工事によると、凸条１２ｂａ，凹条１２ｂｂが壁面Ｗと平行に延びていることになる取付ブラケット１の取付部１２の係合部１２ｂに対して、ナット４の係合片４１が係合されることによって、レール３の壁面Ｗへの平行度を確保することができる。
【００２８】
レール３のおさまり調整は、ナット４の１対の係合片４１が取付ブラケット１の取付部１２の係合部１２ｂに両持形に係合されて簡単に離脱することがなく、ナット４のレール３の幅方向への移動が完全に阻止されるため、戸の開閉の振動等に耐えて長期に維持される。また、レール３のネジ挿通孔３１が長孔形ではないため、汎用されている真円形のネジ挿通孔３１を備えて汎用されているレール３を使用することができる。
【００２９】
さらに、この形態では、図４に示すように、前述の取付工事の後に取付ブラケット１にカバー５を被せることで、各部（特に、取付ブラケット１の取付部１２の上面側）の無用な露出を回避して外観体裁を良好にすることができる。
【００３０】
カバー５は、取付ブラケット１の前方部分，上方部分を覆うほぼＬ字形の側カバー５１と、取付ブラケット１の端部を覆う平板形の端カバー５２とからなる。側カバー５１は、上端部に取付ブラケット１の基部１１の係止部１１ａに係止される係止部５１ａが設けられ、中央部の内側に取付ブラケット１の位置決片１５に上方から係止する係止片５１ｂが設けられ、下端部の内側に端カバー５２をネジ止めするためのネジ孔５１ｃが設けられている。この側カバー５１は、側面の内側が取付ブラケット１の受片１４に当接されて係止片５１ｂが取付ブラケット１の位置決片１５に係止されて上下方向に位置決めされ、係止部５１ａが取付ブラケット１の係止部１１ａに係止され、側面の外側からから取付ネジ６で取付ブラケット１のネジ受１５にネジ止めされる。端カバー５２は、取付ブラケット１のネジ孔１３と側カバー５１ネジ孔５１ｂとに取付ネジ６を螺合させることによってネジ止めされる。
【００３１】
以上、図示した形態の外に、箱形以外の形状のレールの取付けにも適用することが可能である。
【００３２】
さらに、取付ブラケット１にレール３を取付けた後に、取付ブラケット１を壁面Ｗに固定することも可能である。
【図面の簡単な説明】
【００３３】
【図１】本発明に係るレール取付構造を実施するための最良の形態の縦断面図である。
【図２】図１の要部の平面図である。
【図３】図１の分解状態の斜視図である。
【図４】図１へのカバーの取付けを示す斜視図である。
【符号の説明】
【００３４】
１            取付ブラケット
１２          取付部
１２ａ        上面
１２ｂ        係合部
１２ｂａ      凸条
１２ｂｂ      凹条
１２ｂｃ      案内面
１２ｃ        ネジ挿通孔
２            ネジ
３            レール
３１          ネジ挿通孔
４            ナット
４１          係合片
５            カバー
５１          側カバー
５２          端カバー
Ｗ            壁面
【図１】
2009068208.tif 000003
【図２】
2009068208.tif 000004
【図３】
2009068208.tif 000005
【図４】
2009068208.tif 000006